(57)【特許請求の範囲】
【請求項１】
第１の基板と、前記第１の基板との間に液晶及びスペーサを挟持する第２の基板と、前記第１の基板および／または前記第２の基板に設けられた遮光部と、を有しており、
前記第１の基板は、液晶側の面の所定方向に形成されたゲート信号線と、前記ゲート信号線と交差させて形成された画像信号線と、前記ゲート信号線と前記画像信号線の各交差部に対応してそれぞれ配置された画素電極と、液晶側の面に前記液晶に接する第１の配向膜と、を有しており、
前記第２の基板は、液晶側の面に前記液晶に接する第２の配向膜を有しており、
前記第１の配向膜は、前記ゲート信号線の前記所定方向及び前記画像信号線の方向に対して傾斜した第１の配向方向を有し、前記第２の配向膜は、前記第１の配向方向と交差する第２の配向方向を有しているツイステッドネマチック型の液晶表示装置であって、
前記スペーサが前記第１の基板側に取り付けられており、前記遮光部は、前記第１の配向方向に平行な第１の部位及び前記第２の配向方向に平行な第２の部位を有するとともに前記第１の部位及び前記第２の部位によって前記画素電極を区分けするように形成されており、前記スペーサは、前記第１の部位に平面視で内側にあり、前記第２の部位には平面視で存在していない液晶表示装置。
【請求項２】
第１の基板と、前記第１の基板との間に液晶及びスペーサを挟持する第２の基板と、前記第１の基板および／または前記第２の基板に設けられた遮光部と、を有しており、
前記第１の基板は、液晶側の面の所定方向に形成されたゲート信号線と、前記ゲート信号線と交差させて形成された画像信号線と、前記ゲート信号線と前記画像信号線の各交差部に対応してそれぞれ配置された画素電極と、液晶側の面に前記液晶に接する第１の配向膜と、を有しており、
前記第２の基板は、液晶側の面に前記液晶に接する第２の配向膜を有しており、
前記第１の配向膜は、前記ゲート信号線の前記所定方向及び前記画像信号線の方向に対して傾斜した第１の配向方向を有し、前記第２の配向膜は、前記第１の配向方向と交差する第２の配向方向を有しているツイステッドネマチック型の液晶表示装置であって、
前記スペーサが前記第２の基板側に取り付けられており、前記遮光部は、前記第１の配向方向に平行な第１の部位及び前記第２の配向方向に平行な第２の部位を有するとともに前記第１の部位及び前記第２の部位によって前記画素電極を区分けするように形成されており、前記スペーサは、前記第２の部位に平面視で内側にあり、前記第１の部位には平面視で存在しない液晶表示装置。
【請求項３】
前記遮光部は、前記スペーサを平面視で覆う部位の方の幅が、前記スペーサが平面視で
存在しない部位の方の幅よりも大きい請求項１または請求項２に記載の液晶表示装置。
【請求項４】
前記スペーサは、前記第１の基板側に取り付けられる場合、平面視形状が前記第１の配向方向に長手方向を有する形状であるとともに、長手方向の両端部が先細り状とされており、前記第２の基板側に取り付けられる場合、平面視形状が前記第２の配向方向に長手方向を有する形状であるとともに、長手方向の両端部が先細り状とされている請求項１乃至請求項３のいずれかに記載の液晶表示装置。
【請求項５】
前記第１の基板は、平面視で前記画素電極に重なるとともに前記遮光部に覆われるように配置された保持容量線を有している請求項１乃至請求項４のいずれかに記載の液晶表示装置。
【請求項６】
第１の基板と、前記第１の基板との間に液晶及びスペーサを挟持する第２の基板と、前記第２の基板に設けられた遮光部と、を有しており、
前記第１の基板は、液晶側の面上に、所定方向に形成されたゲート信号線と、前記ゲート信号線と交差させて形成された画像信号線と、前記ゲート信号線と前記画像信号線の各交差部に対応してそれぞれ配置された画素電極と、前記液晶に接する第１の配向膜と、を有しており、
前記第２の基板は、液晶側の面上に前記液晶に接する第２の配向膜を有しており、
前記第１の配向膜及び前記第２の配向膜はそれぞれ、前記画像信号線の方向に平行な配向方向を有しているインプレーンスイッチング型の液晶表示装置であって、
前記遮光部は、前記配向方向に平行な部位を有するとともに前記部位によって前記画素電極を区分けするように形成されており、前記スペーサは、前記部位に平面視で重なるように配置されており、
前記第１の基板は、平面視で前記画素電極に重なるとともに前記遮光部に覆われるように配置された保持容量線を有している液晶表示装置。
【発明の詳細な説明】
【技術分野】
【０００１】
本発明は、ブラックマトリクス等の遮光部及び対向する２つの基板間にスペーサを有する液晶表示装置に関するものである。
【背景技術】
【０００２】
従来、例えば液晶表示装置(Liquid  Crystal  Display  :ＬＣＤ)は、ＴＦＴ（Thine  Film  Transistor）を含む画素部が多数形成されたＴＦＴアレイ側基板と、カラーフィルタ及びブラックマトリクスが形成されたカラーフィルタ側基板とを互いに対向させて、それらの基板を所定の間隔でもって貼り合わせ、それらの基板間に液晶を充填、封入させることによって作製される。
【０００３】
従来のアクティブマトリクス型のＬＣＤの基本構成の一例を図６に示す。例えば、ガラス基板等から成るＴＦＴアレイ側基板は、その上の第１の方向(例えば、行方向)に形成された複数本のゲート信号線Ｇ１，Ｇ２，Ｇ３，・・・Ｇｍと、第１の方向と交差する第２の方向(例えば、列方向)にゲート信号線Ｇ１〜Ｇｍと交差させて形成された複数本の画像
信号線Ｓ１，Ｓ２，Ｓ３，・・・Ｓｎと、ゲート信号線Ｇ１〜Ｇｍと画像信号線Ｓ１〜Ｓｎの交差部付近に形成された、ＴＦＴ３１、画素電極(図示せず)を含む画素部P11，P12，P13，・・・Pmnと、を有する構成である。また、共通電極（図示せず)は、画素電極との
間で液晶に印加する垂直的な電界を形成するために、カラーフィルタ側基板上に設けられている。共通電極に共通電圧(Ｖcom)を供給する共通電圧線３２は、ＩＰＳ（In-Plane  Switching）方式のＬＣＤ、ＦＦＳ（Fringe  Field  Switching）方式のＬＣＤの場合はＴＦＴアレイ側基板に形成されるが、ＴＮ（Twisted  Nematic）型ＬＣＤの場合は不要である。なお、図６において、３３は各ゲート信号線Ｇ１〜Ｇｍに順次ゲート信号を伝送するゲート信号線駆動回路、３４は各画像信号線Ｓ１〜Ｓｎに順次画像信号を伝送する画像信号(ソース信号)線駆動回路、３５は画素電極との間で所望の容量を形成しそれを１フレーム保持するための保持容量線（Ｃｓ線）、４０は画像表示を行う表示部、４１は液晶表示パネルである。なお、Ｃｓ線３５は、蓄積容量電極（storage  electrode）、蓄積容量線とも呼ばれる。
【０００４】
ＴＦＴ３１は、例えば、アモルファスシリコン(ａ−Ｓｉ)、低温ポリシリコン（Low-Temperature  Poly  Silicon）等から成る半導体膜を有し、ゲート電極部、ソース電極部、ドレイン電極部の３端子部を有する構成である。そして、ゲート電極部に所定電位の電圧(例えば、６Ｖ，１５Ｖ等)を印加することにより、ソース電極部とドレイン電極部の間の半導体膜（チャンネル）に電流を流す、スイッチング素子(ゲートトランスファ素子)として機能する。また、画素電極は、一般に酸化インジウムスズ(Indium  Tin  Oxide  :ＩＴＯ)等から成る透明電極から構成されている。
【０００５】
また、カラーフィルタ側基板は、共通電極が形成された面またはそれと反対側の面に、それぞれの画素に対応する赤(Ｒ)、緑(Ｇ)、青(Ｂ)のカラーフィルタが形成されており、それぞれの画素を通過する光が相互に干渉することを防ぐブラックマトリクスがカラーフィルタの外周を囲むように形成されている。
【０００６】
図７（ａ），（ｂ）は、従来のＬＣＤにおける１つの画素部を拡大して示す平面図である。ゲート信号線５１と画像信号線５２とで囲まれた矩形状の部位が画素部として規定されており、画素部には画素電極５３、画素電極５３に画像信号を入力するスイッチング素子として機能するＴＦＴ５４が設けられている。画素部の中央部には、ゲート信号線５１と平行に形成された保持容量線（Ｃｓ線）５５が、ゲート信号線５１と同じ面内に形成されている。また、ゲート信号線５１、画像信号線５２、ＴＦＴ５４及びＣｓ線５５を覆うように、カラーフィルタ側基板にブラックマトリクス等の遮光部５６が設けられている（例えば、特許文献１参照）。
【０００７】
また、ＴＮ型のＬＣＤの場合、ＴＦＴアレイ側基板の液晶側の面の最上層としてポリイミド等から成る第１の配向膜が形成されており、第１の配向膜の配向方向５８は、ゲート信号線５１の方向及び画像信号線５２の方向とも非平行な方向である。例えば、第１の配向膜の配向方向５８はゲート信号線５１の方向に対して４５°傾斜した方向である。また、カラーフィルタ側基板の面の最上層としてポリイミド等から成る第２の配向膜が形成されており、第２の配向膜の配向方向５９は、第１の配向膜の配向方向５８と交差する方向である。第１の配向膜の配向方向５８と第２の配向膜の配向方向５９とのなす角度は、一般に９０°である。また、第２の配向膜中に基部があり基部以外の先端部側が第２の配向膜から突出している円柱状等の柱状のスペーサ５７が、Ｃｓ線５５に平面視で重なるように設けられている。
【０００８】
図８（ａ），（ｂ）は、画素部の中央部に、ゲート信号線５１の方向と平行に形成された部位と、画像信号線５２の方向に平行に形成された部位とを有する十字状のＣｓ線６５が設けられた構成を示している（例えば、特許文献２を参照）。
【０００９】
図１１（ａ），（ｂ）は、従来のＩＰＳ方式のＬＣＤにおける１つの画素部を拡大して示す平面図である。ゲート信号線５１と画像信号線５２とで囲まれた矩形状の部位が画素部として規定されており、画素部には画素電極７３、画素電極７３と同じ面に配置された共通電極７２、画素電極７３に画像信号を入力するスイッチング素子として機能するＴＦＴ５４が設けられている。画素電極７３は、複数の「く」の字状または折れ線状の電極指の根元がバスバー電極に結合している、ＩＴＯ等の透明電極から成る櫛歯状電極構造を有しており、共通電極７２も同様にＩＴＯ等の透明電極から成る櫛歯状電極構造を有している。そして、画素電極７３の１本の電極指に隣接するとともに平行に、共通電極７２の１本の電極指が配置されている。従って、画素電極７３の電極指と共通電極７２の電極指とは交互に配置されている。画素部の中央部には、ゲート信号線５１と平行に形成された保持容量線（Ｃｓ線）７５が、ゲート信号線５１が配置された面と同じ面に配置されている。また、ゲート信号線５１、画像信号線５２、ＴＦＴ５４及びＣｓ線７５を覆うように、カラーフィルタ側基板にブラックマトリクス等の遮光部７６が設けられている。
【００１０】
また、画素電極７３及び共通電極７２は、ゲート信号線５１、画像信号線５２及びＴＦＴ５４を覆う絶縁層上に配置されている。画素電極７３のバスバー電極は、ＴＦＴ５４のドレイン電極にコンタクトホール等を介して電気的に接続されている。共通電極７２の電極指以外の部位は、ゲート信号線５１、画像信号線５２及びＴＦＴ５４に平面視で重なるように上記絶縁層上に配置されている。
【００１１】
また、ＩＰＳ方式のＬＣＤの場合、ＴＦＴアレイ側基板の液晶側の面の最上層としてポリイミド等から成る第１の配向膜が形成されており、第１の配向膜の配向方向７８は、画像信号線５２の方向に平行な方向である。また、カラーフィルタ側基板の面の最上層としてポリイミド等から成る第２の配向膜が形成されており、第２の配向膜の配向方向７９は、第１の配向膜の配向方向７８と同じ方向である。また、第２の配向膜中に基部があり基部以外の先端部側が第２の配向膜から突出している円柱状等の柱状のスペーサ７７が、Ｃｓ線７５に平面視で重なるように設けられている。
【先行技術文献】
【特許文献】
【００１２】
【特許文献１】特開平４−２０４４２０号公報
【特許文献２】特開平１１−１３３４２９号公報
【発明の概要】
【発明が解決しようとする課題】
【００１３】
しかしながら、図７に示す上記従来のＬＣＤにおいては、画素電極５３との間で所望の容量を形成するために、ゲート信号線５１、画像信号線５２と比較してＣｓ線５５を太く形成する必要があった。その結果、Ｃｓ線５５を覆う遮光部56cの幅が、ゲート信号線５
１を覆う遮光部56aの幅、画像信号線５２を覆う遮光部56bの幅よりも大きくなっていた。そうすると、ＬＣＤに画像を表示させた際、例えば白表示をした際に、遮光部56cが横筋
として視認される場合があるという問題点があった。また、第２の配向膜に配向を形成するラビング工程おいて、スペーサ５７がラビングの障害となり、スペーサ５７からラビング方向の後方に配向が不十分な部位が形成される場合があった。そうすると、ＬＣＤに画像を表示させた際、例えば中間調表示をした際に、配向が不十分な部位が灰色等の色合いの筋６０として視認される場合があるという問題点があった。
【００１４】
そこで図８に示すように、十字状のＣｓ線６５とすれば、図７の構成と比較して、１つの画素部におけるＣｓ線６５の長さが長くなる分、Ｃｓ線６５の幅を細くすることができる。そうすると、ＬＣＤに画像を表示させた際、特に白表示をした際に、遮光部56cが筋
として視認されにくくなり、その結果高精細な画像表示が可能となる。しかしながら、配向が不十分な部位が灰色等の色合いの筋６０として視認される場合があるという問題点については、依然として解消されなかった。
【００１５】
また、図１１に示すＩＰＳ方式のＬＣＤの場合にも、図１１（ｂ）に示すように、ＬＣＤに画像を表示させた際、例えば中間調表示をした際に、配向が不十分な部位が灰色等の色合いの筋８０として視認される場合があるという問題点があった。
【００１６】
本発明は、上記の問題点に鑑みて完成されたものであり、その目的は、配向が不十分な部位が筋として視認されることを防ぐことができるとともに、高精細な画像表示が可能なＬＣＤとすることである。
【課題を解決するための手段】
【００１７】
本発明の液晶表示装置は、第１の基板と、前記第１の基板との間に液晶及びスペーサを挟持する第２の基板と、前記第１の基板および／または前記第２の基板に設けられた遮光部と、を有しており、前記第１の基板は、液晶側の面の所定方向に形成されたゲート信号線と、前記ゲート信号線と交差させて形成された画像信号線と、前記ゲート信号線と前記画像信号線の各交差部に対応してそれぞれ配置された画素電極と、液晶側の面に前記液晶に接する第１の配向膜と、を有しており、前記第２の基板は、液晶側の面に前記液晶に接する第２の配向膜を有しており、前記第１の配向膜は、前記ゲート信号線の前記所定方向及び前記画像信号線の方向に対して傾斜した第１の配向方向を有し、前記第２の配向膜は、前記第１の配向方向と交差する第２の配向方向を有しているツイステッドネマチック型の液晶表示装置であって、前記スペーサが前記第１の基板側に取り付けられており、前記遮光部は、前記第１の配向方向に平行な第１の部位及び前記第２の配向方向に平行な第２の部位を有するとともに前記第１の部位及び前記第２の部位によって前記画素電極を区分けするように形成されており、前記スペーサは、前記第１の部位に平面視で内側にあり、前記第２の部位には平面視で存在していない構成である。
【００１８】
本発明の液晶表示装置は、第１の基板と、前記第１の基板との間に液晶及びスペーサを挟持する第２の基板と、前記第１の基板および／または前記第２の基板に設けられた遮光部と、を有しており、前記第１の基板は、液晶側の面の所定方向に形成されたゲート信号線と、前記ゲート信号線と交差させて形成された画像信号線と、前記ゲート信号線と前記画像信号線の各交差部に対応してそれぞれ配置された画素電極と、液晶側の面に前記液晶に接する第１の配向膜と、を有しており、前記第２の基板は、液晶側の面に前記液晶に接する第２の配向膜を有しており、前記第１の配向膜は、前記ゲート信号線の前記所定方向及び前記画像信号線の方向に対して傾斜した第１の配向方向を有し、前記第２の配向膜は、前記第１の配向方向と交差する第２の配向方向を有しているツイステッドネマチック型の液晶表示装置であって、前記スペーサが前記第２の基板側に取り付けられており、前記遮光部は、前記第１の配向方向に平行な第１の部位及び前記第２の配向方向に平行な第２の部位を有するとともに前記第１の部位及び前記第２の部位によって前記画素電極を区分けするように形成されており、前記スペーサは、前記第２の部位に平面視で内側にあり、前記第１の部位には平面視で存在しない構成である。
【００１９】
本発明の液晶表示装置は、好ましくは、前記遮光部は、前記スペーサを平面視で覆う部位の方の幅が、前記スペーサが平面視で存在しない部位の方の幅よりも大きい。
【００２０】
また本発明の液晶表示装置は、好ましくは、前記スペーサは、前記第１の基板側に取り付けられる場合、平面視形状が前記第１の配向方向に長手方向を有する形状であるとともに、長手方向の両端部が先細り状とされており、前記第２の基板側に取り付けられる場合、平面視形状が前記第２の配向方向に長手方向を有する形状であるとともに、長手方向の
両端部が先細り状とされている。
【００２１】
また本発明の液晶表示装置は、好ましくは、前記第１の基板は、平面視で前記画素電極に重なるとともに前記遮光部に覆われるように配置された保持容量線を有している。
【００２２】
本発明の液晶表示装置は、第１の基板と、前記第１の基板との間に液晶及びスペーサを挟持する第２の基板と、前記第２の基板に設けられた遮光部と、を有しており、前記第１の基板は、液晶側の面上に、所定方向に形成されたゲート信号線と、前記ゲート信号線と交差させて形成された画像信号線と、前記ゲート信号線と前記画像信号線の各交差部に対応してそれぞれ配置された画素電極と、前記液晶に接する第１の配向膜と、を有しており、前記第２の基板は、液晶側の面上に前記液晶に接する第２の配向膜を有しており、前記第１の配向膜及び前記第２の配向膜はそれぞれ、前記画像信号線の方向に平行な配向方向を有しているインプレーンスイッチング型の液晶表示装置であって、前記遮光部は、前記配向方向に平行な部位を有するとともに前記部位によって前記画素電極を区分けするように形成されており、前記スペーサは、前記部位に平面視で重なるように配置されており、前記第１の基板は、平面視で前記画素電極に重なるとともに前記遮光部に覆われるように配置された保持容量線を有している構成である。
【発明の効果】
【００２３】
本発明の液晶表示装置は、第１の基板と、第１の基板との間に液晶及びスペーサを挟持する第２の基板と、第１の基板および／または第２の基板に設けられた遮光部と、を有しており、第１の基板は、液晶側の面の所定方向に形成されたゲート信号線と、ゲート信号線と交差させて形成された画像信号線と、ゲート信号線と画像信号線の各交差部に対応してそれぞれ配置された画素電極と、液晶側の面に液晶に接する第１の配向膜と、を有しており、第２の基板は、液晶側の面に液晶に接する第２の配向膜を有しており、第１の配向膜は、ゲート信号線の所定方向及び画像信号線の方向に対して傾斜した第１の配向方向を有し、第２の配向膜は、第１の配向方向と交差する第２の配向方向を有しているツイステッドネマチック型の液晶表示装置であって、スペーサが第１の基板側に取り付けられており、遮光部は、第１の配向方向に平行な第１の部位及び第２の配向方向に平行な第２の部位を有するとともに第１の部位及び第２の部位によって画素電極を区分けするように形成されており、スペーサは、第１の部位に平面視で内側にあり、第２の部位には平面視で存在していない構成であることから、以下の効果を奏する。すなわち、遮光部は画素電極をより細かく区分けするように形成されているので、より高精細の画像表示が可能となる。また、スペーサは、遮光部の上記第１の部位に平面視で重なるように配置されているので、配向が不十分な部位は遮光部に隠れることになる。その結果、画像表示の際に配向が不十分な部位が筋として視認されることを防ぐことができる。
【００２４】
本発明の液晶表示装置は、第１の基板と、第１の基板との間に液晶及びスペーサを挟持する第２の基板と、第１の基板および／または第２の基板に設けられた遮光部と、を有しており、第１の基板は、液晶側の面の所定方向に形成されたゲート信号線と、ゲート信号線と交差させて形成された画像信号線と、ゲート信号線と画像信号線の各交差部に対応してそれぞれ配置された画素電極と、液晶側の面に液晶に接する第１の配向膜と、を有しており、第２の基板は、液晶側の面に液晶に接する第２の配向膜を有しており、第１の配向膜は、ゲート信号線の所定方向及び画像信号線の方向に対して傾斜した第１の配向方向を有し、第２の配向膜は、第１の配向方向と交差する第２の配向方向を有しているツイステッドネマチック型の液晶表示装置であって、スペーサが第２の基板側に取り付けられており、遮光部は、第１の配向方向に平行な第１の部位及び第２の配向方向に平行な第２の部位を有するとともに第１の部位及び第２の部位によって画素電極を区分けするように形成されており、スペーサは、第２の部位に平面視で内側にあり、第１の部位には平面視で存在しない構成であることから、以下の効果を奏する。すなわち、遮光部は画素電極をより
細かく区分けするように形成されているので、より高精細の画像表示が可能となる。また、スペーサは、遮光部の第１の部位または第２の部位に平面視で重なるように配置されているので、配向が不十分な部位は遮光部に隠れることになる。その結果、画像表示の際に配向が不十分な部位が筋として視認されることを防ぐことができる。
【００２５】
また本発明の液晶表示装置は、遮光部は、スペーサを平面視で覆う部位の方の幅が、スペーサが平面視で存在しない部位の方の幅よりも大きい場合、配向が不十分な部位が筋として視認されることを確実に防ぐことができる。また、スペーサが平面視で存在しない遮光部の部位の方の幅を、スペーサを平面視で含む遮光部の部位の方の幅よりも小さくできるので、画像表示の際に遮光部の第１の部位及び第２の部位が視認されることをより抑えることができる。さらに、画素部において遮光部の合計の面積を減少させることができるので、開口率を向上させることができる。
【００２６】
また本発明の液晶表示装置は、スペーサは、第１の基板側に取り付けられる場合、平面視形状が第１の配向方向に長手方向を有する形状であるとともに、長手方向の両端部が先細り状とされており、第２の基板側に取り付けられる場合、平面視形状が第２の配向方向に長手方向を有する形状であるとともに、長手方向の両端部が先細り状とされている場合、スペーサがラビングの障害となりにくくなるので、画像表示の際に配向が不十分な部位が筋として視認されることをより確実に防ぐことができる。
【００２７】
また本発明の液晶表示装置は、第１の基板は、平面視で画素電極に重なるとともに遮光部に覆われるように配置された保持容量線を有している場合、保持容量線が遮光部に隠れるので、画素部の開口率を高く維持することができる。また、保持容量線の長さが長くなるのでその面積が大きくなり、画素電極との間で所望の容量を形成することが容易になる。さらに、保持容量線の長さが長くなるので、容量を従来よりもさほど大きくしなければ細くすることもでき、その結果、遮光部も細くすることができる。そして、画像表示の際に遮光部が視認されることを抑えることができる。
【００２８】
本発明の液晶表示装置は、第１の基板と、第１の基板との間に液晶及びスペーサを挟持する第２の基板と、第２の基板に設けられた遮光部と、を有しており、第１の基板は、液晶側の面上に、所定方向に形成されたゲート信号線と、ゲート信号線と交差させて形成された画像信号線と、ゲート信号線と画像信号線の各交差部に対応してそれぞれ配置された画素電極と、液晶に接する第１の配向膜と、を有しており、第２の基板は、液晶側の面上に液晶に接する第２の配向膜を有しており、第１の配向膜及び第２の配向膜はそれぞれ、画像信号線の方向に平行な配向方向を有しているインプレーンスイッチング型の液晶表示装置であって、遮光部は、配向方向に平行な部位を有するとともにその部位によって画素電極を区分けするように形成されており、スペーサは、上記部位に平面視で重なるように配置されており、第１の基板は、平面視で画素電極に重なるとともに遮光部に覆われるように配置された保持容量線を有している構成であることから、以下の効果を奏する。すなわち、遮光部の上記部位が画素電極を区分けするように形成されているので、高精細の画像表示が可能となる。また、スペーサは、遮光部の上記部位に平面視で重なるように配置されているので、配向が不十分な部位は遮光部に隠れることになる。その結果、画像表示の際に配向が不十分な部位が筋として視認されることを防ぐことができる。また、保持容量線が遮光部に隠れるので、画素部の開口率を高く維持することができる。
【図面の簡単な説明】
【００２９】
【図１】図１（ａ），（ｂ）は、本発明の液晶表示装置に関連する参考例を示す図であり、（ａ）は１つの画素部の平面図、（ｂ）は白表示等の画像表示した場合の１つの画素部の平面図である。
【図２】図２（ａ），（ｂ）は、本発明の液晶表示装置に関連する参考例を示す図であり、（ａ）は１つの画素部の平面図、（ｂ）は白表示等の画像表示した場合の１つの画素部の平面図である。
【図３】図３（ａ），（ｂ）は、本発明の液晶表示装置について実施の形態の他例を示す図であり、（ａ）は１つの画素部の平面図、（ｂ）は白表示等の画像表示した場合の１つの画素部の平面図である。
【図４】図４（ａ），（ｂ）は、本発明の液晶表示装置について実施の形態の他例を示す図であり、（ａ）は１つの画素部の平面図、（ｂ）は白表示等の画像表示した場合の１つの画素部の平面図である。
【図５】図５は、本発明の液晶表示装置について実施の形態の他例を示す図であり、１つの画素部の平面図である。
【図６】図６は、従来の液晶表示装置の１例を示すブロック回路図である。
【図７】図７（ａ），（ｂ）は、従来の液晶表示装置の１例を示す図であり、（ａ）は１つの画素部の平面図、（ｂ）は白表示等の画像表示した場合の１つの画素部の平面図である。
【図８】図８（ａ），（ｂ）は、従来の液晶表示装置の１例を示す図であり、（ａ）は１つの画素部の平面図、（ｂ）は白表示等の画像表示した場合の１つの画素部の平面図である。
【図９】図９（ａ），（ｂ）は、本発明の液晶表示装置について実施の形態の他例を示す図であり、（ａ）は１つの画素部の平面図、（ｂ）は白表示等の画像表示した場合の１つの画素部の平面図である。
【図１０】図１０は、本発明の液晶表示装置について実施の形態の他例を示す図であり、１つの画素部の平面図である。
【図１１】図１１（ａ），（ｂ）は、従来の液晶表示装置の１例を示す図であり、（ａ）は１つの画素部の平面図、（ｂ）は白表示等の画像表示した場合の１つの画素部の平面図である。
【発明を実施するための形態】
【００３０】
以下、本発明のＬＣＤの実施の形態について、図面を参照しながら説明する。但し、以下で参照する各図は、本発明のＬＣＤの実施の形態における構成部材のうち、本発明のＬＣＤを説明するための主要部を示している。従って、本発明のＬＣＤは、図に示されていない回路基板、配線導体、制御ＩＣ，ＬＳＩ等の周知の構成部材を備えていてもよい。
【００３１】
本発明のＬＣＤに関連する参考例の構成は、ガラス基板等から成る第１の基板としてのＴＦＴアレイ側基板と、ＴＦＴアレイ側基板との間に液晶及びスペーサを挟持する第２の基板としてのカラーフィルタ側基板と、カラーフィルタ側基板に設けられたブラックマトリクス等の遮光部と、を有しており、ＴＦＴアレイ側基板は、液晶側の面上に、所定方向（例えば、行方向）に形成されたゲート信号線と、ゲート信号線と交差させて、例えば列方向に形成された画像信号線（ソース信号線）と、ゲート信号線と画像信号線の各交差部に対応してそれぞれ配置された画素電極と及びＴＦＴと、第１の配向方向を有して液晶に接する第１の配向膜と、を有しており、第２の基板は、液晶側の面上に、第２の配向方向を有して液晶に接する第２の配向膜を有しているＬＣＤであって、遮光部は、第１の配向方向または第２の配向方向に平行な部位を有するとともにその部位によって画素電極を区分けするように形成されており、スペーサは、上記部位に平面視で重なるように配置されている構成である。この構成により、以下の効果を奏する。すなわち、遮光部の上記部位は画素電極を区分けするように形成されているので、高精細の画像表示が可能となる。また、スペーサは、遮光部の上記部位に平面視で重なるように配置されているので、配向が不十分な部位は遮光部に隠れることになる。その結果、画像表示の際に配向が不十分な部位が筋として視認されることを防ぐことができる。
【００３２】
図１（ａ），（ｂ）は、本発明のＬＣＤに関連する参考例を示す図であり、（ａ）は１
つの画素部の平面図、（ｂ）は白表示等の画像表示した場合の１つの画素部の平面図である。このＬＣＤは、図１に示すように、ガラス基板等から成る第１の基板としてのＴＦＴアレイ側基板と、ＴＦＴアレイ側基板との間に液晶及びスペーサ７を挟持するガラス基板等から成る第２の基板としてのカラーフィルタ側基板と、第１のＴＦＴアレイ側基板および／またはカラーフィルタ側基板に設けられた遮光膜６と、を有しており、ＴＦＴアレイ側基板は、液晶側の面の所定方向（例えば、行方向）に形成されたゲート信号線１と、ゲート信号線１と交差させて形成された画像信号線２と、ゲート信号線１と画像信号線２の各交差部に対応してそれぞれ配置された画素電極３及びＴＦＴ４と、液晶側の面に液晶に接する第１の配向膜と、を有しており、カラーフィルタ側基板は、液晶側の面に液晶に接する第２の配向膜を有しており、第１の配向膜は、ゲート信号線１の所定方向及び画像信号線２の方向（例えば、列方向）に対して傾斜した第１の配向方向８を有し、第２の配向膜は、第１の配向方向８と交差する第２の配向方向９を有しているＴＮ型のＬＣＤである。そして、スペーサ５がＴＦＴアレイ側基板側に取り付けられる場合、遮光膜６は、第１の配向方向８に平行な第１の部位６ｃ（図３〜５に図示）を有するとともに、第１の部位６ｃによって画素電極３を区分けするように形成されており、スペーサ７は、第１の部位６ｃに平面視で重なるように配置されており、スペーサ７がカラーフィルタ側基板側に取り付けられる場合、遮光膜６は、第２の配向方向９に平行な第２の部位６ｄを有するとともに、第２の部位６ｄによって画素電極３を区分けするように形成されており、スペーサ７は、第２の部位６ｄに平面視で重なるように配置されている構成である。因みに図１の構成は、スペーサ７が第２の部位６ｄに平面視で重なるとともに内側にある（含まれる）ように配置されている構成である。また、図１において、６ａはゲート信号線１を覆う遮光膜６の部位、６ｂは画像信号線２を覆う遮光膜６の部位である。
【００３３】
上記の構成により、以下の効果を奏する。すなわち、遮光膜６は、画素電極３を区分けするように形成されているので、高精細の画像表示が可能となる。また、スペーサ７は、遮光膜６の第１の部位６ｃまたは第２の部位６ｄに平面視で重なるように配置されているので、配向が不十分な部位は第１の部位６ｃまたは第２の部位６ｄに隠れることになる。その結果、画像表示の際に配向が不十分な部位が筋として視認されることを防ぐことができる。
【００３４】
さらに好適には、図１（ａ）に示すように、Ｃｓ線５は遮光膜６に覆われておりそれらは重なっているので、画素部の開口率を高く維持することができる。また好適には、図３に示すように、Ｃｓ線５の第１の部位５ａは、ゲート信号線１の所定方向及び画像信号線２の方向に対して傾斜した第１の配向方向８に平行な方向に形成されており、Ｃｓ線５の第２の部位５ｂは、第１の配向方向８と交差する第２の配向方向９に平行な方向に形成されている。この場合、Ｃｓ線５の長さが長くなるのでその面積が大きくなり、画素電極３との間で所望の容量を形成することが容易になる。さらに、Ｃｓ線５の長さが長くなるので、容量を従来よりもさほど大きくしなければ細くすることもでき、その結果、遮光部６も細くすることができ、画像表示の際にＣｓ線５の第１の部位５ａを覆う遮光膜６の第１の部位６ｃ、Ｃｓ線５の第２の部位５ｂを覆う遮光膜６の第２の部位６ｄが視認されることを抑えることができる。
【００３５】
本発明のＬＣＤにおいて、遮光部はＴＦＴアレイ側基板および／またはカラーフィルタ側基板に設けられる。すなわち、遮光部はＴＦＴアレイ側基板およびカラーフィルタ側基板の少なくとも一方に設けられる。また、画素電極５を区分けする遮光部は、例えばブラックマトリクス等から成る遮光膜６であるが、遮光膜６に限らずＣｓ線５が遮光部であってもよい。また、Ｃｓ線５及びそれを覆う遮光膜６の双方が遮光部であってもよい。この場合、例えば、好適には遮光膜６の第１の部位６ｃがＣｓ線５の第１の部位５ａを覆っており、遮光膜６の第２の部位６ｄがＣｓ線５の第２の部位５ｂを覆っているように形成される。なお、以下の実施の形態においては、遮光膜６がカラーフィルタ側基板に設けられ
ている例について説明する。
【００３６】
本発明のＬＣＤは、ＴＮ型のものであり、例えば第１の配向方向８はゲート信号線１の方向と４５°の角度をなしており、画像信号線２の方向と１３５°の角度をなしている。第２の配向方向９は、第１の配向方向８と９０°の角度で交差している。また第１の配向方向８は、図１の場合、左上に向かう方向と右下に向かう方向の２方向があり、第２の配向方向９も同様に２方向がある。従って、第１の配向方向８と第２の配向方向９の組み合わせは、合計４通りある。これは、配向膜における配向が不十分な部位が形成される方向と関係する。例えば、第１の配向方向８について、それが左上に向かう方向であれば、第１の配向膜における配向が不十分な部位は左上に向かって形成される。右下に向かう方向であれば、第１の配向膜における配向が不十分な部位は右下に向かって形成される。第２の配向方向９についても同様である。従って、配向が不十分な部位が形成される方向は４通りあることになる。
【００３７】
Ｃｓ線５は、ゲート信号線１及び画像信号線２と同様の遮光性を有する材料から成る。例えば、Ｃｓ線５は、アルミニウム（Ａｌ），チタン（Ｔｉ），モリブデン（Ｍｏ），タンタル（Ｔａ），タングステン（Ｗ），クロム（Ｃｒ），銀（Ａｇ），銅（Ｃｕ），ネオジウム（Ｎｄ）等から選ばれた元素から成る金属材料、これらの元素を主成分とする合金材料、または窒化チタン，窒化タンタル，窒化モリブデン等の金属窒化物等の導電性を有する材料を用いて形成される。これら材料の層は、単層構造又は積層構造とすることができる。Ｃｓ線５の厚みは０．１μｍ〜１μｍ程度であり、幅は１０μｍ〜５０μｍ程度がよい。Ｃｓ線５の幅が１０μｍ未満の場合、スペーサ７を支持することが難しくなる傾向がある。Ｃｓ線５の幅が５０μｍを超えると、Ｃｓ線５をブラックマトリクス等の遮光膜６が覆っている場合、画像表示の際にＣｓ線５を覆う遮光膜６の第１の部位６ｃ、第２の部位６ｄが筋として視認されやすくなる傾向がある。あるいは、Ｃｓ線５の幅が遮光膜６の幅よりも大きい場合、画像表示の際にＣｓ線５の幅の筋が視認されやすくなる傾向がある。また、Ｃｓ線５を覆う遮光膜６の第１の部位６ｃ、第２の部位６ｄの幅は、それぞれ１０μｍ〜５０μｍ程度となるが、この値よりも若干（数μｍ〜１０μｍ程度）大きくてもよい。なお、Ｃｓ線５は、例えばゲート信号線１が形成される面と同じ面上に形成される。従って、Ｃｓ線５は、ゲート信号線１の形成工程においてゲート信号線１と一緒に形成することもできる。
【００３８】
スペーサ７は、例えば円柱状、楕円柱状、長円柱状、三角柱状、四角柱状、多角柱状等の種々の柱状とすることができる。スペーサ７は、スリットコート法、スピンコート法等のコーティング法、フォトリソグラフィ法等によって形成される。このスペーサ７は、ＴＦＴアレイ側基板側に取り付けられる場合、すなわち遮光膜６の第１の部位６ｃに平面視で重なるように配置されている場合、平面視形状が第１の配向方向８に長手方向を有する楕円柱状、長円柱状等の形状であるとともに、長手方向の両端部が先細り状とされていることが好ましい。また図５に示すように、スペーサ７は、カラーフィルタ側基板側に取り付けられる場合、すなわち遮光膜６の第２の部位６ｄに平面視で重なるように配置されている場合、平面視形状が第２の配向方向９に長手方向を有する楕円柱状、長円柱状等の形状であるとともに、長手方向の両端部が先細り状とされていることが好ましい。これらの場合、スペーサ７がラビングに対する抵抗が小さくなる結果、ラビングの障害となりにくくなるので、画像表示の際に配向が不十分な部位が筋として視認されることをより確実に防ぐことができる。
【００３９】
またスペーサ７は、Ｃｓ線５の第１の部位５ａを覆う遮光膜６の第１の部位６ｃまたは第２の部位５ｂを覆う遮光膜６の第２の部位６ｄに、平面視でそれらの内側にある。これにより、画像表示の際に配向が不十分な部位が筋として視認されることをより確実に防ぐことができる。さらに、スペーサ７がＣｓ線５の第１の部位５ａに平面視で内側にある場
合、スペーサ７がＣｓ線５の第１の部位５ａによって支持されるので、位置が安定化され、外力が加わっても位置ずれが生じにくいものとなる。またこの場合、第１の部位５ａの第１の配向方向８に直交する方向（方向８ｖとする）の幅に対して、スペーサ７の方向８ｖにおける幅が同等以下となる。また、第２の部位５ｂの第２の配向方向９に直交する方向（方向９ｖとする）の幅に対して、スペーサ７の方向９ｖにおける幅が同等以下となる。スペーサ７の方向８ｖにおける幅は、第１の部位５ａの方向８ｖの幅よりも小さく、その小さい程度が絶対値で５μｍ程度以上大きいことがよい。小さい程度が絶対値で５μｍ程度より小さいと、製造の誤差等によりスペーサ７が第１の部位５ａから突出した場合に、画像表示の際に配向が不十分な部位が筋として視認されやすくなる傾向がある。スペーサ７の方向９ｖにおける幅と、第２の部位５ｂの方向９ｖの幅との関係についても、同様である。
【００４０】
またスペーサ７は、Ｃｓ線５の第１の部位５ａまたは第２の部位５ｂに、平面視でそれらに重なるとともに遮光膜６側に平面視で突出する部分があってもよい。この場合、画像表示の際に配向が不十分な部位が筋として視認されるのを抑えることができる。
【００４１】
スペーサ７は、ＴＦＴアレイ側基板に取り付けられる場合、ポリイミド等から成る第１の配向膜中に基部があり、基部以外の先端部側が液晶中に第１の配向膜から突出するように形成される。スペーサ７がカラーフィルタ側基板に取り付けられる場合も同様である。またスペーサ７は、アクリル樹脂、ポリイミド、ポリアミド、ポリイミドアミド、ベンゾシクロブテン、テトラフルオロエチレン・パーフルオロアルコキシエチレン共重合体（ＰＦＡ樹脂）、エポキシ基含有ビニル重合体等のビニル系重合体、ポリシロキサン、ポリシラザン等の樹脂材料、またこれら樹脂材料の感光性のもの、あるいは酸化シリコン（シリカ）等の無機材料を用いて形成することができる。ポリシロキサンは、シリコン（Ｓｉ）と酸素（Ｏ）との結合によって骨格構造が形成されたものである。またポリシロキサンは、その酸素の置換基として、少なくとも水素を含む有機基、例えばアルキル基、芳香族炭化水素基を有するもの、また酸素の置換基として、少なくとも水素を含む有機基とフルオロ基を有するものであってもよい。ポリシラザンは、珪素（Ｓｉ）と窒素（Ｎ）の結合を有するポリマー材料を出発原料として形成される材料である。さらにスペーサ７は、感光性の樹脂材料から成る場合、耐久性が良いという理由等から、感光性のアクリル樹脂、感光性のポリイミド、感光性のポリシロキサンから成ることがよい。さらにスペーサ７は、耐久性に優れること、光透過率が９３％程度と高いこと、加工性が高いこと、安価であることから、アクリル樹脂、特には感光性のアクリル樹脂から成ることが好ましい。
【００４２】
本発明のＬＣＤに関連する参考例は、図２に示すように、ある画素部においては、スペーサ７がカラーフィルタ側基板側に取り付けられており、遮光膜６は、第２の配向方向９に平行な第２の部位６ｄを有するとともに、第２の部位６ｄによって画素電極３を区分けするように形成されており、スペーサ７は、第２の部位６ｄに平面視で重なるように配置されている構成とされているが、ゲート信号線１に方向における隣の画素部においては、遮光膜６は、第１の配向方向８に平行な第１の部位６ｃを有するとともに、第１の部位６ｃによって画素電極３を区分けするように形成されており、スペーサ７は、第１の部位６ｃに平面視で存在しないように構成されている。この場合、図１の構成と比較して、遮光膜６の合計の面積が小さくなるとともに、遮光膜６に覆われているＣｓ線５の合計の長さも短くなる。
【００４３】
また、ある画素部においては、スペーサ７がＴＦＴアレイ側基板側に取り付けられており、遮光膜６は、第１の配向方向８に平行な第１の部位６ｃを有するとともに、第１の部位６ｃによって画素電極３を区分けするように形成されており、スペーサ７は、第１の部位６ｃに平面視で重なるように配置されている構成とされているが、ゲート信号線１に方向における隣の画素部においては、遮光膜６は、第２の配向方向９に平行な第２の部位６
ｄを有するとともに、第２の部位６ｄによって画素電極３を区分けするように形成されており、スペーサ７は、第２の部位６ｄに平面視で存在しないように構成されている。
【００４４】
さらに、ある画素部においては、スペーサ７がＴＦＴアレイ側基板側に取り付けられており、遮光膜６は、第１の配向方向８に平行な第１の部位６ｃを有するとともに、第１の部位６ｃによって画素電極３を区分けするように形成されており、スペーサ７は、第１の部位６ｃに平面視で重なるように配置されている構成とされているが、ゲート信号線１に方向における隣の画素部においては、スペーサ７がカラーフィルタ側基板側に取り付けられており、遮光膜６は、第２の配向方向９に平行な第２の部位６ｄを有するとともに、第２の部位６ｄによって画素電極３を区分けするように形成されており、スペーサ７は、第２の部位６ｄに平面視で重なるように配置されている構成とされていてもよい。この場合、図２の構成と同様の効果を奏するとともに、画素部の開口率を高く維持したままスペーサ７を全ての画素部の遮光部に配置できる。
【００４５】
本発明のＬＣＤは、スペーサ７がＴＦＴアレイ側基板側に取り付けられており、遮光膜６は、第１の配向方向８に平行な第１の部位６ｃ及び第２の配向方向９に平行な第２の部位６ｄを有するとともに、第１の部位６ｃ及び第２の部位６ｄによって画素電極３を区分けするように形成されており、スペーサ７は、第１の部位６ｃに平面視で内側にあり、第２の部位６ｄには平面視で存在しない。また図３に示すように、スペーサ７がカラーフィルタ側基板側に取り付けられており、遮光膜６は、第１の配向方向８に平行な第１の部位６ｃ及び第２の配向方向９に平行な第２の部位６ｄを有するとともに、第１の部位６ｃ及び第２の部位６ｄによって画素電極３を区分けするように形成されており、スペーサ７は、第２の部位６ｄに平面視で内側にあり、第１の部位６ｃには平面視で存在しない。これらにより、画素電極３が遮光膜６によって４分割等としてより細かく区分けされるので、より高精細の画像表示が可能となる。また、遮光膜６の第１の部位６ｃに覆われるようにＣｓ線５の第１の部位５ａが形成されているとともに、遮光膜６の第２の部位６ｄに覆われるようにＣｓ線５の第２の部位５ｂが形成されている場合、Ｃｓ線の第１の部位５ａ及び第２の部位５ｂの合計の長さがより長くなり、それらをより細く形成することができる。その結果、画像表示の際に遮光膜６の第１の部位６ｃ及び第２の部位６ｄが視認されることを抑えることができる。
【００４６】
また図３の構成において、１つの画素部においてＣｓ線５が画像信号線２と平面視で交差する部位（隣のＣｓ線５と接続される部位）は、１本の画像信号線２について１箇所であるが、１本の画像信号線２について２箇所あってもよい。すなわち、図３においては、Ｃｓ線５が画像信号線２と平面視で交差する部位は、１本の画像信号線２について、画素部の上側のＴＦＴ４１近傍の１箇所であるが、画素部の下側においてＣｓ線５が画像信号線２と平面視で交差しており隣のＣｓ線５と接続されていてもよい。この場合、Ｃｓ線５全体の抵抗が小さくなる。
【００４７】
さらに図３の構成において、１つの画素部においてＣｓ線５が画像信号線２と平面視で交差する部位は、左方の画像信号線２および右方の画像信号線２について、双方とも上側に１箇所ずつあるが、例えば上記交差する部位が、左方の画像信号線２についてはその上側にあり、右方の画像信号線２についてはその下側にあってもよい。すなわち、隣接するＣｓ線５同士を接続する接続部である上記交差する部位が、ゲート信号線１の方向において、画像信号線２毎に上側、下側の交互に配置される構成であってもよい。
【００４８】
また本発明のＬＣＤは、図４（ａ），（ｂ）に示すように、遮光膜６は、スペーサ７を平面視で覆う部位の方（第２の部位６ｄの方）の幅が、スペーサ７が平面視で存在しない部位の方（第１の部位６ｃの方）の幅よりも大きいことが好ましい。この場合、配向が不十分な部位が筋として視認されることを確実に防ぐことができる。また、スペーサ７が平
面視で存在しない遮光膜６の部位の方（第１の部位６ｃの方）の幅を、スペーサ７を平面視で覆う遮光膜６の部位の方（第２の部位６ｄの方）の幅よりも小さくできるので、画像表示の際に第１の部位６ｃ及び第２の部位６ｄが視認されることをより抑えることができる。またこの場合、スペーサ７が平面視で存在しない遮光膜６の部位の方（第１の部位６ｃの方）の幅を、スペーサ７を平面視で覆う遮光膜６の部位の方（第２の部位６ｄの方）の幅の７０％程度以上とすることが好ましい。７０％程度未満では、スペーサ７が平面視で存在しない遮光膜６の部位の方（第１の部位６ｃの方）の幅が小さくなりすぎて、画像表示した際に画素部を４等分して高精細に見えるようにする効果が得られにくい傾向がある。
【００４９】
また、図１〜図５には、遮光膜６の第１の部位６ｃ及びＣｓ線５の第１の部位５ａと、遮光膜６の第２の部位６ｄ及びＣｓ線５の第２の部位５ｂが、それぞれ画素電極３の対角線上にあるように配置されているが、必ずしもその構成を採る必要はない。例えば、遮光膜６の第１の部位６ｃ及びＣｓ線５の第１の部位５ａと、遮光膜６の第２の部位６ｄ及びＣｓ線５の第２の部位５ｂの少なくとも一方が、対角線上から対角線に直交する方向に若干平行移動した線上にあってもよい。あるいは、対角線に対して若干傾斜した線上にあってもよい。
【００５０】
また、遮光膜６の第１の部位６ｃ及びＣｓ線５の第１の部位５ａと、遮光膜６の第２の部位６ｄ及びＣｓ線５の第２の部位５ｂとは、図１〜図５に示すような完全な直線状でなくてもよく、若干曲線状に形成されていてもよい。さらに、遮光膜６の第１の部位６ｃ及びＣｓ線５の第１の部位５ａと、遮光膜６の第２の部位６ｄ及びＣｓ線５の第２の部位５ｂとは、図１〜図５に示すような一定の幅を有している構成でなくてもよい。例えば、画素電極３の中心側、すなわち画素電極３の中心から３分の１〜３分の２程度の長さの部位が、画素電極３の周辺側の３分の１〜３分の２程度の長さの部位よりも細くなっていてもよい。その場合、画像表示した際に遮光膜６の第１の部位６ｃ及び第２の部位６ｄが視認されることをより抑えることができる。勿論、この場合、画像表示の際に配向が不十分な部位が筋として視認されることを防ぐために、スペーサ７が遮光部から平面視ではみ出ないようにすることがよいのはいうまでもない。
【００５１】
図９（ａ），（ｂ）は、本発明のＬＣＤについて実施の形態の他例を示す図であり、（ａ）は１つの画素部の平面図、（ｂ）は白表示等の画像表示した場合の１つの画素部の平面図である。図９に示すように、本発明のＩＰＳ型のＬＣＤは、ガラス基板等から成る第１の基板としてのＴＦＴアレイ側基板と、ＴＦＴアレイ側基板との間に液晶及びスペーサを挟持する第２の基板としてのカラーフィルタ側基板と、カラーフィルタ側基板に設けられた遮光部１６と、を有しており、ＴＦＴアレイ側基板は、液晶側の面上に、所定方向（例えば、行方向）に形成されたゲート信号線１と、ゲート信号線１と交差させて、例えば列方向に形成された画像信号線２と、ゲート信号線１と画像信号線２の各交差部に対応してそれぞれ配置された画素電極１３、ＴＦＴ４及び共通電極１２と、液晶に接する第１の配向膜と、を有しており、カラーフィルタ側基板は、液晶側の面上に液晶に接する第２の配向膜を有しており、第１の配向膜及び第２の配向膜はそれぞれ、画像信号線２の方向に平行な配向方向１８，１９を有しているＩＰＳ型のＬＣＤであって、遮光部１６は、配向方向１８，１９に平行な部位を有するとともにその部位によって画素電極１３を区分けするように形成されており、スペーサ１７は、上記部位に平面視で重なるように配置されており、ＴＦＴアレイ側基板は、平面視で画素電極１３に重なるとともに遮光部１６に覆われるように配置された保持容量線１５を有している構成である。この構成により、以下の効果を奏する。すなわち、遮光部１６の上記部位が画素電極１３を区分けするように形成されているので、高精細の画像表示が可能となる。また、スペーサ１７は、遮光部１６の上記部位に平面視で重なるように配置されているので、配向が不十分な部位は遮光部１６に隠れることになる。その結果、画像表示の際に配向が不十分な部位が筋として視認され
ることを防ぐことができる。
【００５２】
本発明のＩＰＳ型のＬＣＤの詳細な構成について以下に説明する。ゲート信号線１と画像信号線２とで囲まれた矩形状の部位が画素部として規定されており、画素部には画素電極１３、画素電極１３と同じ面に配置された共通電極１２、画素電極１３に画像信号を入力するスイッチング素子として機能するＴＦＴ４が設けられている。画素電極１３は、複数の「く」の字状または折れ線状の電極指の根元がバスバー電極に結合している、ＩＴＯ等の透明電極から成る櫛歯状電極構造を有しており、共通電極１２も同様にＩＴＯ等の透明電極から成る櫛歯状電極構造を有している。そして、画素電極１３の１本の電極指に隣接するとともに平行に、共通電極１２の１本の電極指が配置されている。従って、画素電極１３の電極指と共通電極１２の電極指とは交互に配置されている。画素部の中央部には、画像信号線２と平行に形成された保持容量線（Ｃｓ線）１５が、ゲート信号線１が配置されている面と異なる面、例えば画像信号線２が配置されている面に配置されている。また、ゲート信号線１、画像信号線２、ＴＦＴ４及びＣｓ線１５を覆うように、カラーフィルタ側基板にブラックマトリクス等の遮光部１６が設けられている。
【００５３】
また、画素電極１３及び共通電極１２は、ゲート信号線１、画像信号線２及びＴＦＴ４を覆う絶縁層上に配置されている。画素電極１３のバスバー電極は、ＴＦＴ４のドレイン電極にコンタクトホール等を介して電気的に接続されている。共通電極１２の電極指以外の部位は、ゲート信号線１、画像信号線２及びＴＦＴ４に平面視で重なるように上記絶縁層上に配置されている。
【００５４】
また、ＩＰＳ型のＬＣＤの場合、ＴＦＴアレイ側基板の液晶側の面の最上層としてポリイミド等から成る第１の配向膜が形成されており、第１の配向膜の配向方向１８は、画像信号線２の方向に平行な方向である。また、カラーフィルタ側基板の面の最上層としてポリイミド等から成る第２の配向膜が形成されており、第２の配向膜の配向方向１９は、第１の配向膜の配向方向１８と同じ方向である。また、第２の配向膜中に基部があり基部以外の先端部側が第２の配向膜から突出している円柱状等の柱状のスペーサ１７が、Ｃｓ線１５に平面視で重なるように設けられている。また、スペーサ１７は、その基部が第１の配向膜中にあるようにして取り付けられていてもよい。
【００５５】
本発明のＬＣＤは、スペーサ１７は、平面視で上記部位の内側にあることが好ましい。この場合、スペーサ１７が平面視で遮光部１６によって覆われる状態となるので、画像表示の際に配向が不十分な部位が筋として視認されることを確実に防ぐことができる。
【００５６】
また本発明のＬＣＤは、図１０に示すように、スペーサ17aは、平面視形状が配向方向
１８，１９に長手方向を有する形状であるとともに、長手方向の両端部が先細り状とされていることが好ましい。この場合、スペーサ17aがラビングの障害となりにくくなるので
、画像表示の際に配向が不十分な部位が筋として視認されることをより確実に防ぐことができる。
【００５７】
また本発明のＬＣＤは、ＴＦＴアレイ側基板は、平面視で画素電極１３に重なるとともに遮光部１６に覆われるように配置された保持容量線１５を有している。これにより、保持容量線１５が遮光部１６に隠れるので、画素部の開口率を高く維持することができる。またこの場合、図９（ｂ）に示すように、保持容量線１５を覆う遮光部16cの幅が、ゲー
ト信号線１を覆う遮光部16aの幅および画像信号線２を覆う遮光部16bの幅よりも小さいことが好ましい。この構成により、画像表示の際に保持容量線１５を覆う遮光部16cが視認
されにくくなるとともに、高解像度の画像表示を行うことができる。
【００５８】
また、保持容量線１５が配向方向１８，１９に直交する方向、すなわちゲート信号線１
に平行な方向に配置されている場合、保持容量線１５が遮光部１６に覆われているとともに、配向方向１８，１９に平行な遮光部１６の部位があることが好ましい。この場合、保持容量線１５を覆う遮光部１６の部位と、配向方向１８，１９に平行な遮光部１６の部位とによって、画素部が十字状に区分けされるので、より高解像度の画像表示を行うことができる。
【００５９】
なお、本発明のＬＣＤは、上記実施の形態に限定されるものではなく、適宜の設計的な変更、改良が施されていてもよい。
【産業上の利用可能性】
【００６０】
本発明のＬＣＤは各種の電子機器に適用できる。その電子機器としては、自動車経路誘導システム（カーナビゲーションシステム）、船舶経路誘導システム、航空機経路誘導システム、スマートフォン端末、携帯電話、タブレット端末、パーソナルデジタルアシスタント（ＰＤＡ）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、デジタルオーディオプレイヤー、ファクシミリ、プリンター、現金自動預け入れ払い機（ＡＴＭ）、自動販売機、プロジェクタ装置、デジタル表示式腕時計、スマートウォッチ、頭部装着型画像表示装置（Head  Mounted  Display  device  ：ＨＭＤ）などがある。
【符号の説明】
【００６１】
１  ゲート信号線
２  画像信号線
３  画素電極
４  ＴＦＴ
５  保持容量線（Ｃｓ線）
５ａ  第１の部位
５ｂ  第２の部位
６  遮光膜
６ｃ  第１の部位
６ｄ  第２の部位
８  第１の配向方向
９  第２の配向方向
【図１】
0006595321.tif 000002
【図２】
0006595321.tif 000003
【図３】
0006595321.tif 000004
【図４】
0006595321.tif 000005
【図５】
0006595321.tif 000006
【図６】
0006595321.tif 000007
【図７】
0006595321.tif 000008
【図８】
0006595321.tif 000009
【図９】
0006595321.tif 000010
【図１０】
0006595321.tif 000011
【図１１】
0006595321.tif 000012